(57)【要約】【課題】  シャワーや入浴中に、一回の行程で表面を潤滑しシェービングすることができる湿式シェービング組立体を提供すること。【解決手段】  シェービング組立体２０は、上端２２、下端及び上端と下端との間に延びる１つまたは複数の側壁２６を有する把持可能な本体であって、シェービング剤を保持するための貯蔵室を含み、貯蔵室は上端及び下端及び１つまたは複数の側壁によって包囲され、本体の上端は、受け領域に取り付けられた１つまたは複数のカミソリカートリッジを有するカミソリカートリッジ受け領域を有し、カミソリカートリッジ受け領域に隣接した複数の開口４６を有し、貯蔵室内に連通している把持可能な本体と、本体の貯蔵室内に配置された架台５６と、を備え、架台は、本体の上端の複数の開口を通して液体シェービング剤を供給するために本体の下端と上端との間で選択的に可動になっている。【選択図】  図１
2005230563.tif 000002
【特許請求の範囲】
【請求項１】
手によって把持可能な本体が上端（２２）、下端（２４）及び前記上端と前記下端との間に延びる１つまたは複数の側壁（２６）を有し、前記本体はシェービング剤を保持するための貯蔵室（３０）を含み、前記貯蔵室は前記上端、前記下端及び前記側壁によって包囲され、前記本体の上端は、１つまたは複数のカミソリカートリッジ（１１０）を取り付けるカミソリカートリッジ受け領域（３２）を有し、
架台（６４）が前記貯蔵室内に配置され、前記架台は、前記本体の上端の複数の開口（４６）を通して前記シェービング剤を供給するために前記本体の前記下端と前記上端との間で選択的に可動である潤滑シェービング組立体において、
前記複数の開口（４６）は、前記カミソリカートリッジ受け領域の周囲の少くとも１部を包囲し、かつ、前記貯蔵室に連通していることを特徴とする潤滑シェービング組立体。
【請求項２】
前記本体は、前記カミソリカートリッジ受け領域内に１つまたは複数のカートリッジを取り付けるために前記本体の上端に取り付けられた１つまたは複数の保持タブ（３８）を有する請求項１に記載のシェービング組立体。
【請求項３】
前記カミソリカートリッジ受け領域に取り付けられた１つまたは複数のカミソリカートリッジ（１１０）を有する請求項１に記載のシェービング組立体。
【請求項４】
各前記カートリッジは、少なくとも１枚のカミソリ刃（１１２）と、１つまたは複数のワイヤと、成形部材と、前記カミソリ刃の長手方向の軸線を横断する方向に延びているダイカット部材とを有する請求項１に記載のシェービング組立体。
【請求項５】
２つの前記カミソリカートリッジが、前記本体の前記カートリッジ受け領域に取り付けられ、前記２つのカミソリカートリッジの１つまたは複数のカミソリ刃は互いに対向している請求項３に記載のシェービング組立体。
【請求項６】
前記１つまたは複数のカミソリカートリッジは、前記本体の上端に回転可能に前記カートリッジ受け領域内に取り付けられている請求項３に記載のシェービング組立体。
【請求項７】
１つまたは複数の開口（４８）が、前記ハンドルの前記上端の前記カミソリカートリッジ受け領域内に配置されている請求項１乃至６のいづれか１項に記載のシェービング組立体。
【請求項８】
前記ハンドルおよび前記架台と接触し、前記ハンドルの上端に向かって前記架台を選択的に移動するために調整可能な部材を有する請求項１乃至７のいづれか１項に記載のシェービング組立体。
【請求項９】
前記架台は、前記シェービング剤と係合可能な上面（６４）を有し、前記ハンドルの上端（２２）に向かう前記架台の動きは、前記シェービング剤を前記ハンドルの前記上端の前記複数の開口（４６）を通して押出す請求項１乃至８のいづれか１項に記載のシェービング組立体。
【請求項１０】
前記調整可能な部材は、回転可能な軸（７０）を含み、該軸は前記架台に係合する第１の端部と前記本体の下端（２４）の方へ延在する第２の端部とを有する請求項８又は９に記載のシェービング組立体。
【請求項１１】
前記架台はラチェット機構を介して動かされる請求項１に記載のシェービング組立体。
【発明の詳細な説明】
【技術分野】
【０００１】
本発明は、シェービング組立体に関し、特に一回の行程で表面を潤滑しシェービングすることができる湿式シェービング組立体に関する。
【背景技術】
【０００２】
体毛をシェービングすることは、次のステップを必要とする。
（１）皮膚の表面をぬらすこと、（２）シェービング剤（例えば、シェービングクリーム）を準備するか及び／又は供給すること、（３）シェービング剤を皮膚の表面につけること、（４）カミソリで皮膚の表面をシェービングすること、（５）皮膚に残った余分なシェービング剤を洗い流すこと、が必要になる。シェービングの時間を短縮し、シェービングを簡単にするために、上述したステップのうち２つまたはそれ以上のステップを組み合わせるために多くの努力がなされたきた。
【０００３】
米国特許第4,712,300号は、単一のステップで皮膚を濡らし、シェービングすることができるカミソリ刃を開示している。カミソリホルダは、中に埋め込まれたカミソリ組立体を備えたスポンジ状の材料のブロックを含み、刃の刃先は、スポンジ状のブロックの表面のわずかに下に配置されている。濡れたとき、スポンジ状のブロックは、皮膚の表面にわずかに押され、皮膚をシェービングする方向に動かされる。
【０００４】
米国特許第4,074,492号は、シェービング動作が単一の行程で行われるようにカミソリ刃の進行によってシェービング表面に石鹸と水分をつける組み合わされた組立体を開示する。これは、カミソリの刃のすぐ前方に固形石鹸のような石鹸装置を取り付けることによって達成される。シェービング動作の間、カミソリ及び石鹸装置は、水に浸けられ、カミソリは、通常の方法でユーザの皮膚を横切るように引かれる。カミソリの石鹸装置の位置は、固形石鹸がカミソリ刃の前進によってユーザに顔に直ぐに接触し、シェービングの直前に潤滑成分を提供するような位置である。しかしながら、石鹸塗布組立体のユーザは、潤滑剤がシェービング面に適切に塗布されるように固形石鹸を常に調整しなければならない。
【０００５】
米国特許第4,562,644号は、カミソリがユーザの皮膚に沿ってシェービング運動で移動するときに、刃の刃先の前方に設けられた潤滑剤を含む潤滑剤塗布安全カミソリを開示している。潤滑部材は、潤滑成分から生成され、刃先の幅を横断するように延びている細長い円筒形ロールである。潤滑部材は、薄い潤滑フィルムを皮膚につけるようにユーザの皮膚に係合する周縁部面を有する。
【０００６】
米国特許第3,895,437号は、刃が前進する直前の位置でカミソリに取付けられたスポンジ状材料を含むシェービング組立体を開示している。スポンジ状部材は、ユーザの顔でシェービング剤に接触するとき、シェービング剤は、スポンジ状部材によって提供された潤滑剤によってぬらされる。
【０００７】
米国特許第4,944,090号は、カミソリヘッドまたは細長いカミソリを有するカートリッジによって支持された可溶性本体を有するカミソリを開示している。可溶性本体は、カミソリに対して可動であり、ばねによってカミソリヘッドの開口を通して偏倚される。米国特許第4,944,090号に開示された可溶性本体は、細長いカミソリを完全には包囲していない。その結果、この装置は、シェービング表面上に一方向のみにしか移動することができない。
【０００８】
米国特許第5,141,349号は、噴霧装置を介してカミソリ刃に流動性潤滑剤と可溶物との混合物を塗布することによってカミソリの刃を潤滑する装置を開示している。潤滑剤は、最初にシェービングする領域に直接シェービング剤を塗布することなく、シェービングを行うことができるようにシェービングの直前にカミソリ刃に付けられる。
【０００９】
米国特許第5,121,541号は、シェービングしながらユーザの皮膚に水、コロン、ひげ柔軟剤のような潤滑剤を噴霧する噴霧機構を収容する電気カミソリを開示している。この噴霧機構は、噴霧導管、噴霧容器及び超音波発振器を含む。この超音波発振器は、電気カミソリと同じ電源によって起動される。保護スクリーンは、ひげが噴霧機構を汚さないように噴霧導管に重なっている
【発明の開示】
【発明が解決しようとする課題】
【００１０】
上述した特許は、ある程度シェービングを簡単にし改善することができた。しかしながら、これらの特許に開示されたシェービング装置は、ユーザがシャワー中に、または風呂に入りながらシェービングしようとするときのような、ある独特のシェービングの環境で有効に作動することができない。さらにシェービング装置は、一方の方向にのみ潤滑及びシェービングすることができる。
【００１１】
シャワー中のシェービングに関連する多数の独得の問題がある。第１に、シェービングクリームのようなシェービング剤は、しばしば、カミソリが皮膚に接触する前に洗い流される。その結果、シェービング中に皮膚またはシェービング表面をカバーする潤滑剤の利点を利用することはほとんどないかまったくなくなり、不可能でないまでもシェービング剤の潤滑特性の利点を利用することを困難にし、シェービングが心地のよくないものになる。さらに、シャワー中にシェービングする人たちは、シェービング剤が流されないようにぎこちない危険な位置をとらなければならない。さらに、シャワー中のシェービングは、１）カミソリをシャワー内の安定した場所に配置すること、２）シェービング剤を皮膚に塗布すること、３）皮膚のシェービングをするためにカミソリを再び持たなければならない、という複雑な動作をユーザに要求する。これによれば、ユーザがこの複雑な処理中にカミソリを落とす可能性がある。
【００１２】
シャワー中のシェービングに関連する問題を解決するために、特願2001-38368号（2000年2月16日に出願され「湿式シェービング組立体」と題された米国特許第09/505408号）は、一回でシェービング潤滑剤を塗布すると同時に、毛を除去するシェービング組立体を開示している。シェービング組立体は、上端及び下端を有するベースと、上端と前記下端との間に形成された中空の開口を形成している。シェービング組立体は、カミソリ刃カートリッジ用のカートリッジ受け部のようなカミソリ受け部を有し、このカミソリ受け部は、ベースに接続され、前記ベースの上端の開口に配置される。カートリッジ受け部材は、周縁部を備え、前記ベースの上端の前記開口は、受け部材の周縁部を完全に包囲する。ベースの中空のスペースは、固形石鹸またはボディウオッシュまたは、皮膚に有益な成分及び／又は香料と組み合わせる、固体シェービング潤滑剤を含むようになっている。
【００１３】
したがって、シャワーのような濡れた環境において、効率よく安全なシェービングが可能なニーズがある。また、毛を除去する際に皮膚の潤滑を最大限にするようにカミソリに液体シェービング潤滑剤を組み込んだシェービング組立体のニズがある。このような湿式装置は、シェービング剤を塗布すると同時に毛を除去し、シャワーで費やす時間を低減することができなければならない。
【課題を解決するための手段】
【００１４】
本発明のある好ましい実施形態によれば、潤滑剤シェービング組立体は、人間の手によって把持する本体を有する。この本体は、プラスチックのようなポリマー金属、金属またはポリマー及び金属の組み合わせからつくられることが好ましい。本体は、好ましくは、上端と、下端と、この上端及び下端との間で延びる１つまたは複数の側壁とを有する。本体の上端は、カミソリカートリッジ受け領域を有し、この領域は、それに取り付けられたカミソリカートリッジを備えている。１つまたは複数のカミソリカートリッジは、カミソリカートリッジ受け領域に回転可能に取り付けられている。１つまたは複数のカミソリカートリッジは、カミソリカートリッジがカミソリ受け領域に対して同時に回転、揺動、またはねじるように移動することができるようにカミソリカートリッジ受け領域に可撓性を有するように取り付けることができる。ある好ましい実施形態において、シェービング潤滑剤を収納するディスペンサ部分と、１つまたは複数のカミソリカートリッジを固定する取り外し可能なキャップとを含む。キャップは、キャップまたはディスペンサ部分のいずれかが新しいキャップ及び／又はディスペンサを廃棄するか交換することができるようにディスペンサ部分から除去することができる。
【００１５】
本体は、好ましくは、収納貯蔵室を含み、この収納貯蔵室は、ジェルのような液体シェービング剤、ジェル、クリーム、オイル、フォーム、ローションのような半固体材料を保持し、供給するようになっている。シェービング組立体が動作する前に、ある量のシェービング剤が貯蔵室に配置される。シェービング剤は、組立体の最初の製造の間に貯蔵室内に配置されるか、貯蔵室が消費者によって再び購買される。この貯蔵室は、本体の上端及び下端並びに本体の１つまたは複数の側壁によって包囲されることが望ましい。また、本体の上端は、カミソリカートリッジ領域に隣接して複数の開口を有する。複数の開口は、カミソリカートリッジ受け領域を包囲するか、カミソリカートリッジ受け領域内に設けられる。複数の開口は貯蔵室に連通していることが好ましい。
【００１６】
また、本体は、上面と底面を有する選択的に可動な架台を含む。架台の上面は、ほぼ平坦である。架台は本体の収納貯蔵室内に配置され、組立体の上端と下端との間で選択的に可動であることが好ましい。架台は、本体の上端で複数の開口を通して貯蔵室で収納された液体シェービング剤を供給するために本体の上端と下端との間で選択的に可動である。
【００１７】
ある実施形態において、本体またはキャップの上端は、１つまたは複数のタブを含み、このタブは、カミソリカートリッジ受け領域内で１つまたは複数のカミソリカートリッジを取り付けるための本体の上端に取付可能である。１つまたは複数の保持タブは、可撓性ヒンジによって本体の上端にヒンジで取り付けられることによって本体の上端に永久に取り付けられる。保持タブは、カミソリカートリッジをカートリッジ受け領域に取り付けるためにカミソリカートリイジの１つまたは複数のタンブに係合することが好ましい。取り付けられたカミソリカートリッジは、カミソリカートリッジ受け領域内でねじるように回転、揺動及び／又は移動することができる。
【００１８】
各カミソリカートリッジは、長手方向の軸線を有する１つまたは複数の刃先を含むことが好ましい。各カミソリカートリッジの長手方向軸線は、それに取り付けられた刃先の長手方向軸線に平行な方向に延びている。ある実施形態において、２つのカミソリカートリッジは、２つのカミソリカートリッジの１つまたは複数の刃が互いに面するように本体のカミソリ受け領域に取り付けられている。カミソリカートリッジは、１つまたは複数のワイヤ、成形された部材またはダイカト部材を含み、これらは、１つまたは複数の刃先の長手方向軸線を横断する方向に延びている。１つまたは複数のワイヤ、成形部材またはダイカット部材は、１つまたは複数の刃先に重なることが好ましい。また、各カミソリは、カミソリカートリッジの１つまたは複数の刃先に重なるメッシュを含む。他の好ましい実施形態において、カミソリカートリッジは、多数の穴を有する金属フォイルの改訂の１枚または複数枚のカミソリ刃を含み、それによって、各穴は、１つまたは複数の縁部を有する周縁部分を有する。このようなカミソリカートリッジは、米国特許第4,438,068号に示されている。
【００１９】
上述したように、可動な架台は、液密のシールを形成するために本体の内側側壁に密接に係合する外周を含む。架台が上方に移動するとき、液体シェービング剤が本体の上端で複数の開口に向かって押される。したがって、上方に移動する架台は複数の穴を通ってシェービング剤を押す。複数の穴は、カミソリカートリッジ受け領域に隣接しており、シェービング剤は、本体に取り付けられる１つまたは複数のカミソリカートリッジの周りで供給される。
【００２０】
部材の広い配列は、架台を本体の上端に向けて移動するために使用される。架台を選択的に移動するためにラチェット機構が本体に接続されている。ラチェット機構は、本体の１つまたは複数の側壁の開口を通して延びている。また、ラチェット機構は、回転可能なノブ、レバー、またはボタンを含む。ラチェット機構は、ユーザが架台が前進していることを感じることができるようにクリック音かまたは振動を生じる。ある実施形態において、架台の下端は、調整可能な部材の少なくとも一部を受けるようになっている雌ねじを有する開口を備えている。調整可能な部材は、架台と接触する第１の端部と、本体の下端の開口を通して延びる第２の端部とを有する回転可能な軸を含む。軸は、雄ねじを有し、この雄ねじは、架台の開口の雌ねじに係合するように第１の端部と第２の端部との間に延びている。ノブは、軸の下端に取り付けられる。ノブは回転され軸を回転する。軸が回転するとき、軸の雄ねじは、架台を本体の上端に向かって移動するために架台の開口の雌ねじに係合する。
【００２１】
ある好ましい実施形態において、シェービング組立体の１つまたは複数の部品は、部品の１つを交換することができるように互いに分解し取り外すことができる。他の実施形態において、本体またはキャップの上端は、シェービング組立体の下端または供給部分から外すことができる。キャップは、１つまたは複数のカミソリカートリッジが永久的に取り付けることができる。この実施形態において、キャップは、下方の本体から選択的に取り外され、新しいカミソリカートリッジを有する交換キャップと交換される。シェービング組立体の供給部分の下端は、シェービング剤の貯蔵室が空になったとき交換することができる。
【００２２】
他の好ましい実施形態において、シェービング組立体は、上端、下端及び上端と下端との間に包囲された貯蔵室とを有するハンドルを有する。ハンドルの上端は、それに取り付けられる１つまたは複数のカミソリカートリッジを有するようになっている。ハンドルの上端は、カミソリカートリッジ受け領域に隣接し複数の貯蔵室内に複数の開口を有することが好ましい。貯蔵室内に架台が配置されることが好ましい。架台は、複数の開口を通る液体シェービング剤を押すためにハンドルの上端に向かって可動であることが好ましい。また、シェービング組立体は、ハンドルの上端でカミソリカートリッジ受け領域に取り付けられた１つまたは複数のカミソリカトーリッジを含む。架台がハンドルの上端に向かって移動するとき、複数の穴を介して押されたシェービング剤は、１つまたは複数のカミソリカートリッジの周りでそれに隣接して供給される。可動な架台は、ハンドルの外面で接近可能なラチェット機構によってハンドルに接続される。ラチェット機構は、シェービング剤を供給するためにハンドルの上端に向かって架台を移動するために作動される。他の実施形態において、ノブを含む調整可能な部材は、架台をハンドルの上端に向かって選択的に移動するためにハンドルと架台に接触している。調整可能な部材は、架台と接触する第１の端部と、前記ハンドルの下端に向かって延びる第２の端部とを有する。回転可能なノブは、軸の下端に取り付けられ、それによってノブは、液体シェービング剤の一部を供給するためにハンドルの上端に向かって架台を移動するために回転される。
【発明を実施するための最良の形態】
【００２３】
図１は、本発明の好ましい実施形態による潤滑シェービング組立体の斜視図である。潤滑剤シェービング組立体２０は、上端２２と、下端２４と、上端と下端との間に延びる１つまたは複数の側壁２６とを有する。図１に示す特定の実施形態において、組立体の上端は、組立体の下端または供給部分３０に開放可能に取り付けられたキャップまたはカバー２８を有する。キャップ２８は、１つまたは複数のカミソリカートリッジ（図示せず）を受けるためにカミソリカートリッジ受け領域３２を有する。カミソリカートリッジ受け領域３２は、キャップ２８の上面に形成されたくぼみが好ましい。カミソリカートリッジ受け領域は、カミソリカートリッジ（図示せず）の端部を受ける大きさのスロット３４Ａ、３４Ｂの第１の組を有する。カミソリカートリッジ受け領域は、第２のカミソリカートリッジ（図示せず）の端部を受ける大きなの第２の組のスロット３６Ａ、３６Ｂを含む。キャップ２８は、可撓性ヒンジ１０Ａ、４０Ｂによってキャップに取り付けられた２つの保持タブ３４Ａ、３８Ｂを含む。各保持タブ３８Ａ、３８Ｂは、図１に示す開放位置と、以下に詳細に説明する閉鎖位置（図１０Ａ）との間で可動である。好ましくはキャップ２８の上端２２は、２組のスロット３４，３６の間に設けられたくぼみ４２Ａ、４２ｂを含む。各保持タブ３８Ａ、３８ｂは、保持タブが閉鎖位置にあるときくぼみ４２Ａ、４２Ｂ内に嵌合する大きさの突出部４４を有する。突出部４４とくぼみ４０の間の摩擦係合は、カミソリカートリッジ受け領域３２内に１つまたは複数のカミソリカートリッジを取り付けるように閉鎖位置に保持タブを保持する。
【００２４】
キャップ２８の上端２２は、カミソリカートリッジ受け領域３２の周縁の少なくとも一部を包囲する複数の開口４６を含む。キャップは、カミソリカートリッジ受け領域３２内に設けられた中央開口４８を含む。カミソリカートリッジ受け領域３２を包囲する周縁開口４６とカミソリカートリッジ受け領域３２内に設けられた中央開口４８は、キャップの下側（図示せず）に連通することが望ましい。さらに以下に詳細に説明するように、開口４６，４８は、カミソリカートリッジ受け領域３２の内部及び周りに配置されるべき潤滑シェービング剤の通路を提供する。その結果、シェービング剤は、シェービング動作中にカミソリカートリッジの周りに提供される。
【００２５】
図２は、供給部分３０の上端５０から離されたキャップ２８を示す。供給部分３０の上端５０の外縁５２は、キャップ２８の下端５４に隣接してキャップ２８の内側に緊密に係合する寸法及び形状が好ましい。ある好ましい実施形態において、１つまたは複数のカミソリカートリッジは、キャップ２８の上端２２に永久的に取り付けられ、カミソリカートリッジの刃先がにぶくなり、摩耗したとき、キャップ２８がディスペンサ３０から取り外され、新しいカミソリカートリッジを有する新しいキャップと交換される。他の実施形態において、シェービング組立体１０のディスペンサ部分３０は廃棄することができる。これらの実施形態において、ディスペンサ３０は、ディスペンサ３０の貯蔵部に設けられた潤滑シェービング剤全体が供給されたとき廃棄される。したがって、キャップ、ディスペンサ部分３０またはキャップ及びディスペンサのいずれかが廃棄される。カミソリカートリッジ受け領域３２に取り付けられたカミソリカートリッジ（図示せず）は、使い捨て可能である。
【００２６】
図３及び図４は、組立体のディスペンサ部分の内側部分に設けられた可動な架台５６を示している。図３を参照すると、ディスペンサ部分３０は、その上端（図示せず）に向かって組立体２０の下端２４から延びている側壁２６を含む。側壁２６は、外面５８と内面６０とを有する。シェービング組立体２０は、シェービング剤の塊状物の貯蔵室を有する。貯蔵室６２は、架台５６の上面、側壁２６の内面及びキャップ２８（図示せず）の下側によって規定されている。ジェル、クリーム、ローション、オイルまたは皮膚柔軟剤のような潤滑シェービング剤が貯蔵室６２内に配置されることが好ましい。架台６４の外周６６は、シェービング剤が架台５６の外周と側壁２６の内面６０との間を通過しないように側壁２６の内面６０と液密シールを形成するような寸法及び形状であることが好ましい。
【００２７】
図５Ａ及び図５Ｂを参照すると、シェービング組立体２０は、ディスペンサ３０の下端２４と可動な架台５６の双方と接触する調整可能な部材６８を含む。調整可能な部材６８は、ノブ７４に接続された下端７２とそこから離れた上端７６とを有する軸７０を含む。軸７０は、その上端と下端との間に延びる雄ねじ７８を含む。軸７０は、ねじ７８の外径より大きな外径を有する環状フランジ８０を含む。フランジ８０は、軸７０の下端７２と雄ねじ７８との間に配置されている。
【００２８】
図５Ａを参照すると、調整可能部材６８は、ディスペンサ３０の下端２４で開口８２を通る軸のねじ部分７８を通過させることによってディスペンサ３０の下端３４と関連している。開口８２は、軸７０のおねじ７８が容易に通過するような寸法である。開口８２は、開口８２の中心に向かって延びているタブ８４を含む。タブ８４は、環状フランジ８０の直径より小さい内径を規定する。その結果、フランジ８０は、調整可能部材６８を回転可能にディスペンサ部分３０の下端２４に取り付けるために組立体のディスペンサ部分３０の中空のスペース内に捕捉される。しかしながら、タブ８４は、ねじが形成された軸７０を過剰な力をタブ８４に加えることなくディスペンサ部分３０から引くことができるようにする。
【００２９】
図５Ａ及び図５Ｂを参照すると、シェービング組立体２０は、ディスペンサ３０の下端２４と可動な架台５６の双方と接触する調整可能な部材６８を含むことが好ましい。調整可能な部材６８は軸７０を含むのが好ましく、軸７０は、ノブ７４に接続する下端７２とその反対側の上端７６を有し、下端７２と上端７６との間に延びる雄ねじ７８を含む。軸７０は、ねじ７８の外径より大きい外径を有する環状フランジ８０を有する。フランジ８０は、軸７０の下端７２と雄ねじ７８との間に配置されている。
【００３０】
図５Ａを参照すると、調整可能な部材６８は、ディスペンサ３０の下端２４の開口８２を軸７０のねじ部分７８を通過させることによってディスペンサ３０の下端２４と関連する。開口８２は、軸７０の雄ねじ７８が容易に通過することができるような大きさである。開口８２は、開口８２の中心に向かって延びているタブ８４を含む。タブ８４は、環状フランジ８０の直径より小さい内径を規定する。その結果、フランジ８０は、調整可能な部材をディスペンサ部分３０の下端２４に回転可能に取り付ける組立体のディスペンサ部分３０の中空のスペース内に捕捉される。しかしながら、タブ８４は、過剰な力をタブ８４に加えることなくディスペンサ部分３０からねじが形成された軸７０を引くことができないことが好ましい。
【００３１】
図５Ａ及び図５Ｂを参照すると、ノブ７４は、組立体２０の上端２２に向かって架台５６を移動するために回転することができる。図３、図４、図５Ａ及び図５Ｂを参照すると、架台５６は、ねじ軸７０の雄ねじ７６とかみ合うようになっている雌ねじを有する中央開口８６を有する。ノブ７４が回転するとき、軸７０の雄ねじ７６は、架台５６がシェービング組立体２０の上端２２に向かって上方に移動するように中央開口８６の雌ねじ８８に係合する。その結果、架台５６の上面６４は、キャップ２８を通って延びる開口４６，４８を通過するシェービング剤を押すためにシェービング剤と係合する。シェービング組立体２０のユーザが、潤滑剤及び／又はシェービング剤を追加したいときには、ノブ７４を回転して組立体の上端を架台に向かって移動させ、追加のシェービング剤を供給する。
【００３２】
図６、図７を参照すると、調整可能な部材６８′が上述したものと同様であるが、ラチェット機構が図３、４、５Ａ及び５Ｂに示した回転可能なノブ７４と交換された本発明の他の実施形態が示されている。組立体は、外面５８′及び内面６０′を含む側壁２６′を有するディスペンサ部分３０′を有する。架台５６′の外周６６′は、側壁２６′の内面６０′に緊密に係合する。調整可能な機構６８′は、上端とそこから離れた下端７２′を有する軸８０′を含む。ラチェット機構９２′は、架台５６′を上方に移動するために軸７０′雄ねじ７６′に係合する。ラチェット機構９２′は、架台５６′を上方に次第に押すためのボタン９４′を含む。
【００３３】
図７は、図６に示すラチェット機構６８′の底面図である。ラチェット機構は、歯９８′を有する回転可能なホイール９６′を含む。ボタン９４′は、ばね１００′に接続され、ばね１００は、ボタン９４′をまだ押されていないスタート位置に戻す。またボタン９４′は、レバー１０２′が接続されており、このレバー１０２′は、ボタン９４′が押されたとき、ホイールを回転するようにラチェット機構９６′の歯車の歯９８′に係合している。またラチェット機構は、非回転ラッチ１０４′を含み、このラッチ１０４′は、ホイール９６′ホイール９６′が一方向にのみ回転することができることを保証する。動作において、ホイール９６′を押すためにボタン９４′が押され、架台５６′を上方に押し、組立体の上端の開口を通してシェービング剤９０′を供給するように架台５６′を上方に移動する。
【００３４】
図８は、カミソリカートリッジ領域３２内に配置された第１のカートリッジレシーバ１１０を有する図１のシェービング組立体２０を示す。第１のカミソリカートリッジ１１０は、１つまたは複数の刃先１１２を有し、この刃先１１２は、第１のカミソリカートリッジ１１０の長手方向軸線にほぼ平行な方向に延びている。第１のカミソリカートリッジ１１０の端部は、カミソリカートリッジがカミソリカートリッジ受け領域３２に対して回転するようにキャップ２８の上面に形成されたスロット３４Ａ、３４ｂ内に嵌合するような寸法及び形状である。また、カミソリカートリッジ受け領域３２は、カミソリカートリッジ１１０の回転運動を制限するように第１のカミソリカートリッジの一部に当接するように配置された１つまたは複数のバンパ１１６を含む。
【００３５】
図９は、カミソリカートリッジ受け領域３２内に配置された第２のカミソリカートリッジ１１０ｂを備えた図８の組立体を示す。第２のカミソリカートリッジ１１０Ｂは、第２のカミソリカートリッジ１１０Ｂの長手方向軸線に平行な方向に延びている１つまたは複数の刃先１１２Ｂを含む。第２のカミソリカートリッジ１１０Ｂの端部は、円筒形ロッドまたは突出部１１４Ｂを含み、この突出部１１４Ｂは、上面キャップに形成された第２の対のスロット３６Ａ、３６Ｂ内に嵌合される寸法及び形状である。第１のカミソリカートリッジ１１０Ａで説明したように、第２のカミソリカートリッジ１１０Ｂの円筒形突出部１１４Ｂは、第２のカミソリカートリッジをカミソリカートリッジ受け領域３２内で回転することができるような寸法及び形状である。
【００３６】
図１０Ａを参照すると、２つのカミソリカートリッジ１１０Ａ、１１０Ｂがカミソリ受け領域３２内に取り付けられた後、保持タブ３８Ａ、３８Ｂは、図９に示す開放位置から図１０Ａに示す閉鎖位置まで移動する。保持タブ３８Ａ、３８Ｂは、カミソリカートリッジをカミソリカートリッジ受け領域内に取り付けることが好ましい。
【００３７】
図１０Ｂは、カミソリカートリッジ受け領域３２内に取り付けられたカミソリ
カートリッジ１１０Ａ、１１０Ｂを備えたシェービング組立体２０の部分断面図である。図１０Ｂには特に示さないが、カミソリカートリッジ１１０Ａ、１１０Ｂの刃先は、互いに対向していることが好ましい。要するに、刃先は、カミソリカートリッジ受け領域３２の中心に向かっている。第１のカミソリカートリッジ及び第２のカミソリカートリッジは、自由に回転し、バンパ１１６によって下方への回転運動が制限される。
【００３８】
可動な架台（図３及び図６）がシェービング組立体２０の上端２２に向かって移動するとき、液体シェービング剤９０は、周縁の開口部４６並びにカミソリカートリッジ受け領域３２内の中央開口４８を通して供給される。その結果、シェービング剤は、第１及び第２のカミソリカートリッジ１１０Ａ、１１０Ｂの周りに設けられる。したがって、シェービング組立体２０を使用するユーザは、第１のカミソリカートリッジ１１０Ａと第２のカミソリカートリッジ１１０Ｂの刃先でシェービング面をシェービングする直前に液体シェービング剤９０を同時に塗布することができる。シェービング剤が洗い流されたとき、シェービング剤の供給は、さらにシェービング剤を追加するために調整部材を起動させることによって補給される。シェービング組立体２０は、どの方向にも移動させることができる。なぜならば、周縁開口４６及び中央開口４８は、カミソリカートリッジ１１０Ａ、１１０Ｂの周縁の周りで完全にシェービング剤を供給することができるからである。
【００３９】
図１１Ａ及び図１１Ｂは、シェービング組立体の斜視図と断面図であり、一部が下方に回転されている第１及び第２のカミソリカートリッジ１１０Ａ、１１０Ｂを備えている。回転運動は、カミソリカートリッジに加えられる力Ｆによって生じる。第１及び第２のカＭシオリかとは、各カミソリカートリッジの下側１３０Ａ、１３０Ｂがバンパ１１６の上面に対して当接するまで回転し続ける。
【００４０】
図１２Ａ及び図１２Ｂは、上方に回転した第１及び第２のカミソリカートリッジ１１０Ａ、１１０Ｂを備えたシェービング組立体２０の主足図及び断面図を示す。第１及び第２のカミソリ刃カートリッジ１１０Ａ、１１０Ｂの上方への回転運動は、カミソリカートリッジ受け領域３２の底部に当接するカミソリカートリッジの後方下面１３２Ａ、１３２Ｂによって制限される。
【００４１】
本発明は、特に好ましい実施形態Ｋを参照して説明したが、本発明発明の原理及び用途を示したものであることを理解しなければならない。したがって、本発明の範囲を逸脱せずに多数の改造がなされることは理解できよう。
【図面の簡単な説明】
【００４２】
【図１】本発明のある好ましい実施形態によって上端またはキャップ及び下端またはディスペンサ部分を含む潤滑シェービング組立体の斜視図である。
【図２】供給部分から分解されたキャップを有する図１のシェービング組立体を示す図である。
【図３】シェービング剤を供給するために可動な架台を含む図１のシェービング組立体の供給部分の部分断面図である。
【図４】図３に示す可動な架台の斜視図である。
【図５】図５Ａは、架台が第１の部分にある図３のシェービング組立体の供給部分を示す図である。  図５Ｂは、架台が第２の部分にある図５Ａのシェービング組立体の供給部分を示す図である。
【図６】本発明の好ましい実施形態によるラチェット機構を含むシェービング組立体の部分断面図である。
【図７】図６に示すラチェット機構の底面図である。
【図８】本発明のある好ましい実施形態によるカートリッジ受け領域内に配置された１つのカミソリカートリッジを有する図１のシェービング組立体の斜視図である。
【図９】カートリッジ受け領域内に配置された第２のカミソリカートリッジを有する図８のシェービング組立体を示す図である。
【図１０】図１０Ａは、２つのカートリッジがカートリッジ受け領域内に取り付けられている図９のシェービング組立体の斜視図である。  図１０Ｂは、ラインＸＢ−ＸＢに沿って切った部分断面図である。
【図１１】図１１Ａは、カミソリカートリッジが第１の回転位置に配置された図１０Ａのシェービング組立体の斜視図である。  図１１Ｂは、線ＸＩＢ−ＸＩＢに沿った図１１Ａの断面図を示す。
【図１２】図１２Ａは、カミソリカートリッジが第２の回転位置に配置された図１１Ａのシェービング組立体の斜視図である。  図１２Ｂは、線ＸＩＩＢ−ＸＩＩＢに沿った図１２Ａの断面図を示す。
【符号の説明】
【００４３】
２０  シェービング組立体
２２  上端
２４  下端
２６  側壁
２８  キャップ
３２  カミソリカートリッジ
３８  タブ
４２  くぼみ
５４  下端
５６  架台
【図１】
2005230563.tif 000003
【図２】
2005230563.tif 000004
【図３】
2005230563.tif 000005
【図４】
2005230563.tif 000006
【図５】
2005230563.tif 000007
【図６】
2005230563.tif 000008
【図７】
2005230563.tif 000009
【図８】
2005230563.tif 000010
【図９】
2005230563.tif 000011
【図１０】
2005230563.tif 000012
【図１１】
2005230563.tif 000013
【図１２】
2005230563.tif 000014